(57)【要約】      （修正有）【課題】剛性のあるカード型の記録媒体であったとしても、記録媒体を湾曲させることなく記録媒体の搬送方向を転回するカード搬送装置を提供する。【解決手段】カード搬送装置は、円弧の一部をなすように配置された第１〜第５搬送ローラ部２６〜３０と、第１〜第５搬送ローラ部２６〜３０のそれぞれの間に配された、円弧Ｒの外側に向かって山なりに形成された複数の搬送案内壁３５〜３９とを備え、カード６は、後端部が退避部４９に逃がされた状態で、複数の搬送案内壁３５〜３９に摺動しながら搬送される。【選択図】図８
2016112213.tif 000002
【特許請求の範囲】
【請求項１】
遊技機の間に配置された台間機と、カード型の記録媒体を収納した収納庫との間で前記記録媒体を可逆に搬送するカード型記録媒体搬送装置であって、
前記記録媒体の搬送方向を転回する搬送方向転回部を備え、
前記搬送方向転回部は、
円弧の一部をなすように配置された複数の搬送ローラ部と、
前記複数の搬送ローラ部のそれぞれの間に配された、前記円弧の外側に向かって山なりに形成された複数の搬送案内壁と、を備え、
前記複数の搬送ローラ部のうちの前記円弧の中央部分に位置する搬送ローラ部は、搬送される前記記録媒体の後端部が、当該搬送ローラ部よりも搬送方向に対して後方に位置する搬送ローラ部を抜けた状態で、前記記録媒体の前端部を、当該搬送ローラ部よりも搬送方向に対して前方に位置する前記搬送案内壁の、当該搬送ローラ部の前記記録媒体の送り出し方向に対して鈍角をなす壁面に当接させ、前記記録媒体の前端部を前記壁面に摺動させると共に、前記記録媒体の後端部を当該搬送ローラ部よりも搬送方向に対して後方に位置する前記搬送案内壁の山なりの内側の谷部分に逃がしながら前記記録媒体を搬送することで、前記記録媒体の搬送方向を段階的に変化させることを特徴とするカード型記録媒体搬送装置。
【請求項２】
前記複数の搬送ローラ部はそれぞれ対をなす前記円弧の外側に配された駆動ローラと前記円弧の内側に配された自由回転ローラとを備え、
前記自由回転ローラは、前記駆動ローラ側に付勢されると共に、該付勢力に抗って、駆動ローラから離れる方向、および駆動ローラを中心とした円弧の一部の方向に移動可能に設けられていることを特徴とする請求項１に記載のカード型記録媒体搬送装置。
【請求項３】
前記搬送方向転回部は、前記記録媒体の搬送方向を９０度回転させることを特徴とする請求項１又は２に記載のカード型記録媒体搬送装置。
【請求項４】
前記搬送ローラ部は９０度の円弧に沿って５つ配設されており、
円弧の中央部分に位置する３つの搬送ローラ部が、記録媒体の搬送方向を段階的に変化させ、円弧の端部に配される２つの搬送ローラ部が、前記搬送方向転回部への前記記録媒体の搬送および前記搬送方向転回部からの前記記録媒体の搬送を安定化させることを特徴とする請求項３に記載のカード型記録媒体搬送装置。
【請求項５】
遊技機と台間機とが複数台配置された遊技島の所定位置に設けられた収納庫と、請求項１から４の何れか１項に記載のカード型記録媒体搬送装置とを含み、収納庫に収納されたカード型の記録媒体を、前記カード型記録媒体搬送装置を介して台間機へと搬送する一方、前記カード型記録媒体搬送装置の搬送方向を逆転させて台間機から収納庫に搬送して回収するカード型記録媒体配送装置。
【発明の詳細な説明】
【技術分野】
【０００１】
本発明は遊技機の間に配置された台間機と、カード型の記録媒体を収納した収納庫との間で前記記録媒体を可逆に搬送するカード型記録媒体搬送装置および当該カード型記録媒体搬送装置を備えるカード型記録媒体配送装置に関する。
【背景技術】
【０００２】
近年、パチンコ機等の遊技機が設置された遊技場において、台間機と呼ばれる装置が広く普及している。台間機は、遊技機に対応して設けられ、遊技者は遊技をしながら台間機からカード型記録媒体（以下、カードと称する）を購入することができる。遊技者はカードに記録された残高に応じて、パチンコ玉等の遊技媒体を借り受け、遊技を行う。遊技が終了すると、カードに残高が有る場合には、台間機から遊技者へとカードが返却され、残高が無い場合には、カードは台間機に貯留される。遊技者が遊技機を変更し遊技を続ける場合には、返却された残高があるカードを、他の遊技台に対応する台間機に挿入することで、遊技媒体を借り受け、遊技を行うことができる。
【０００３】
実際の遊技場においては、遊技者への返却等により、台間機に貯留されたカードが不足あるいは無くなってしまう場合が有る。そのような場合には、遊技場係員が台間機へとカードを直接補充する必要がある。また、多くの遊技場においては、閉店時に各台間機に貯留されたカードをすべて回収し、開店時にそれぞれの台間機に補充するという作業が行われている。
【０００４】
そのため、多数の台間機を有する大型の遊技場ともなるとカードの補充および回収の作業は膨大となり、遊技場係員の負担が大きいという問題がある。
【０００５】
上述の問題を解決するために、特許文献１には、遊技場におけるプリペイドカードの自動配送方法および装置が開示されている。特許文献１では、複数の遊技機と複数の遊技機に対応する台間機とで構成された「遊技島」と呼ばれる遊技台の列のそれぞれに、ベルト搬送路とカード払出器とカード回収機とを備える自動配送装置が備えられている。
【０００６】
当該自動配送装置は、カード払出器から排出されたプリペイドカードを、遊技台の列方向に沿って設置されたベルト搬送路を介して台間機へと搬送している。また、台間機に貯留されたプリペイドカードは、営業が終了するとベルト搬送路を介して、遊技島の列方向端部に設置されたカード回収機へと搬送される。これにより、遊技場係員は、遊技島ごとに設置されたカード払出器およびカード回収機に対して、プリペイドカードの補充および回収を行えばよく、カードを補充、回収する作業が減る。
【０００７】
ここで、搬送路から台間機へとカードを搬送するためには、カードの搬送方向を遊技島の列方向から９０度転回する必要がある。そのため、特許文献１に記載の自動配送装置では、３本以上のガイドプーリに巻回されて「く」の字を描くガイドベルトに沿わせてプリペイドカードを搬送することで、プリペイドカードの搬送方向を転回させている。
【０００８】
また、特許文献２には、カードの搬送方向を転回するために設けられた湾曲した搬送路内で、プリペイドカードのような薄手のカードを適正に処理すると共に、免許証のような厚手のカードを詰まらせずに搬送することができるカードリーダライタが開示されている。
【０００９】
特許文献２に記載のカードリーダライタは、カードの厚みに関わりなくカードを挟持して搬送する搬送ローラ以外に、薄手のカードは挟持せずに厚手のカードのみ挟持して搬送力を付与する厚手カード用の搬送ローラが配置されている。これにより、厚手のカードも湾曲した搬送路に沿って詰まることなく搬送される。
【先行技術文献】
【特許文献】
【００１０】
【特許文献１】特開平９−２０１４７０号公報（１９９７年８月５日公開）
【特許文献２】特開２００４−７０６７３号公報（２００４年３月４日公開）
【発明の概要】
【発明が解決しようとする課題】
【００１１】
しかしながら、上述の特許文献１、２は何れも、カードを湾曲させながら搬送することでカードの搬送方向を転回している。そのため、プリペイドカード等に用いられている柔軟性のある材質からなる薄手のカードの搬送には適しているが、ＩＣカードやクレジットカード等に用いられているＰＶＣ（ポリ塩化ビニル）等の硬質樹脂製の厚くて剛性のあるカードの搬送には適していない。
【００１２】
なお、特許文献２には、厚手のカードも搬送路内で詰まらせることなく搬送方向を転回させる構成が開示されている。しかしながら、これはあくまで、薄手のカードに対し情報の読み書きを行うカードリーダライタに誤って投入された厚手のカードを詰まらせることなく排出することを目的としたものであって、厚手のカードの搬送方向を転回するといった発想でなされたものではない。そのため、本来搬送に必要な力以上の強い力を加えて搬送することで、厚手のカードを搬送路に沿わせて湾曲させており、このような手法で厚手のカードを繰り返し使用すると、カードに反りが発生してしまう。カードに反りが発生すると、情報の読み書き処理に支障を来す恐れがあり、また、反ったカードは、搬送路内での詰まりの原因ともなる。
【００１３】
本発明は上記の問題に鑑みてなされたものであり、その目的は、ＰＶＣ（ポリ塩化ビニル）等の硬質樹脂製の厚く剛性のあるカード型記録媒体の搬送方向を転回させることができるカード型記録媒体搬送装置、および遊技場におけるカード型記録媒体配送装置を提供することにある。
【課題を解決するための手段】
【００１４】
本発明に係るカード型記録媒体搬送装置は、遊技機の間に配置された台間機と、カード型の記録媒体を収納した収納庫との間で前記記録媒体を可逆に搬送するカード型記録媒体搬送装置であって、前記記録媒体の搬送方向を転回する搬送方向転回部を備え、前記搬送方向転回部は、円弧の一部をなすように配置された複数の搬送ローラ部と、前記複数の搬送ローラ部のそれぞれの間に配された、前記円弧の外側に向かって山なりに形成された複数の搬送案内壁と、を備え、前記複数の搬送ローラ部のうちの前記円弧の中央部分に位置する搬送ローラ部は、搬送される前記記録媒体の後端部が、当該搬送ローラ部よりも搬送方向に対して後方に位置する搬送ローラ部を抜けた状態で、前記記録媒体の前端部を、当該搬送ローラ部よりも搬送方向に対して前方に位置する前記搬送案内壁の、当該搬送ローラ部の前記記録媒体の送り出し方向に対して鈍角をなす壁面に当接させ、前記記録媒体の前端部を前記壁面に摺動させると共に、前記記録媒体の後端部を当該搬送ローラ部よりも搬送方向に対して後方に位置する前記搬送案内壁の山なりの内側の谷部分に逃がしながら前記記録媒体を搬送することで、前記記録媒体の搬送方向を段階的に変化させることを特徴とする。
【００１５】
上記の構成によれば、円弧の一部をなすように配置された複数の搬送ローラ部のうち、円弧の中央部分に位置する搬送ローラ部は、搬送される記録媒体の後端部が搬送方向に対して後方に位置する搬送ローラ部を抜けた状態で、記録媒体の送り出し方向に対して鈍角を成す搬送案内壁の壁面に摺動させると共に、記録媒体の後端部を搬送案内壁の谷部分に逃がしながら記録媒体を搬送し、記録媒体の搬送方向を変化させる。また、当該搬送案内壁を複数備えていることにより、段階的に記録媒体の搬送方向を変化させることができる。そのため、ＰＶＣ等の厚くて剛性のあるカード型の記録媒体であったとしても、記録媒体を湾曲させることなく記録媒体の搬送方向を転回することができる。
【００１６】
さらに、本発明に係るカード型記録媒体搬送装置は、前記複数の搬送ローラ部はそれぞれ対をなす前記円弧の外側に配された駆動ローラと前記円弧の内側に配された自由回転ローラとを備え、前記自由回転ローラは、前記駆動ローラ側に付勢されると共に、該付勢力に抗って、駆動ローラから離れる方向、および駆動ローラを中心とした円弧の一部の方向に移動可能に設けられていてもよい。
【００１７】
上記の構成によれば、記録媒体の搬送時に、搬送ローラ部の自由回転ローラが、駆動ローラから離れる方向と、駆動ローラを中心とした円弧の一部の方向とに移動する。これにより、記録媒体を湾曲させることなくその搬送方向を段階的に変化させる際に搬送ローラ部にかかる、自由回転ローラと駆動ローラとの間を押し広げるような力を吸収して、記録媒体を一定の圧力で挟持し、搬送することができる。
【００１８】
さらに、本発明に係るカード型記録媒体搬送装置は、前記搬送方向転回部は、前記記録媒体の搬送方向を９０度回転させてもよい。
【００１９】
上記の構成によれば、搬送方向転回部が記録媒体の搬送方向を９０度転回することで、台間機から収納庫への記録媒体の搬送時に、遊技機が複数台並設された遊技島の長手方向に沿って記録媒体を搬送することが可能となる。
【００２０】
さらに、本発明に係るカード型記録媒体搬送装置は、前記搬送ローラ部は９０度の円弧に沿って５つ配設されており、円弧の中央部分に位置する３つの搬送ローラ部が、記録媒体の搬送方向を段階的に変化させ、円弧の端部に配される２つの搬送ローラ部が、前記搬送方向転回部への前記記録媒体の搬送および前記搬送方向転回部からの前記記録媒体の搬送を安定化させてもよい。
【００２１】
上記の構成によれば、円弧の中央部分に位置する３つの搬送ローラ部が、段階的に搬送方向を変化させ、円弧の端部に配される２つの搬送ローラ部が搬送方向転回部への前記記録媒体の搬送および前記搬送方向転回部からの前記記録媒体の搬送を安定化させることで、記録媒体の搬送を確実なものとすることができる。
【００２２】
さらに、本発明に係るカード型記録媒体配送装置は、遊技機と台間機とが複数台配置された遊技島の所定位置に設けられた収納庫と、前記カード型記録媒体搬送装置とを含み、収納庫に収納されたカード型の記録媒体を、前記カード型記録媒体搬送装置を介して台間機へと搬送する一方、前記カード型記録媒体搬送装置の搬送方向を逆転させて台間機から収納庫に搬送して回収してもよい。
【００２３】
上記の構成によれば、カード型記録媒体配送装置が、収納庫とカード型記録媒体搬送装置とを含み、台間機から収納庫への搬送と、収納庫から台間機への搬送との両方を行うことができる。そのため、同一の経路で記録媒体の補充と回収を行うことができる。
【発明の効果】
【００２４】
本発明は、ＰＶＣ等の厚くて剛性のあるカード型の記録媒体であったとしても、記録媒体を湾曲させることなく記録媒体の搬送方向を転回することができるという効果を奏する。
【図面の簡単な説明】
【００２５】
【図１】本発明の実施の形態に係るカード配送装置を備える、遊技機および台間機が複数台並設された遊技島を前方から見た斜視図である。
【図２】図１に示す遊技島を後方から見た斜視図である。
【図３】図１に示す遊技島を上方から見た平面図である。
【図４】図１に示すカード搬送装置に備えられる台間機搬送ローラユニットと台間機とを示す斜視図である。
【図５】図４に示す台間機搬送ローラユニットおよび台間機が備えるカード読書装置を示す斜視図である。
【図６】図５に示す台間機搬送ローラユニットおよびカード読書装置を上方から見た平面図である。
【図７】図５に示す台間機搬送ローラユニットおよびカード読書装置を下方から見た平面図である。
【図８】図６において、台間機搬送ローラユニットが備える天板およびカード読書装置の天井部品を取り除いた状態を示す上面図である。
【図９】図８における領域Ａの拡大図である。
【図１０】図９において、搬送ローラが備えるローラホルダおよびバネを取り除いた状態を示す図である。
【図１１】台間機搬送ローラユニットが備える天板を上方からみた上面図である。
【図１２】図８において、バネおよびローラホルダを取り除いた状態を示す図である。
【図１３】台間機のカード読書装置から台間機搬送ローラユニットへとカードが搬送される様子を示した図である。
【図１４】（ａ）は、図１２における領域Ｂの拡大図であり、（ｂ）は、図１３における領域Ｃの拡大図である。
【図１５】（ａ）は、図１３の状態からカードがさらに搬送された状態を示す図であり、（ｂ）は、（ａ）における領域Ｄの拡大図である。
【図１６】（ａ）は、図１５の状態からカードがさらに搬送された状態を示す図であり、（ｂ）は、（ａ）における領域Ｅの拡大図である。
【図１７】図１６の状態からカードがさらに搬送された状態を示す図である。
【図１８】図１７の状態からカードがさらに搬送された状態を示す図である。
【図１９】図１８の状態からカードがさらに搬送された状態を示す図である。
【図２０】図１９の状態からカードがさらに搬送された状態を示す図である。
【図２１】カード収納庫から台間機搬送ローラユニットへとカードが搬送される様子を示した図である。
【図２２】（ａ）は、通路切替部により、台間機へと搬送されるカードを示す図であり、（ｂ）は、（ａ）における領域Ｆの拡大図である。
【図２３】遊技島搬送ローラユニットへと搬送されるカードを示す図である。
【発明を実施するための形態】
【００２６】
以下、本発明の実施の形態について、図面を参照して詳細に説明する。
【００２７】
（１．カード配送装置の構成概略）
図１は、本実施形態に係るカード配送装置（カード型記録媒体配送装置）１を備える、遊技機３と遊技機３と対応する台間機４とが複数台並設された、遊技島２を前方から見た斜視図である。図２は、遊技島２を後方から見た斜視図であり、図３は遊技島２を上方から見た平面図である。
【００２８】
台間機４は、遊技者による紙幣投入等の入金操作を受け付け、残高情報が記録されたＩＣカード等のカード型の記録媒体（以下、カードと称する）を遊技者へと販売する。遊技者は、購入したカードを台間機４のカード挿入排出口１６に挿入し、遊技媒体（例えばパチンコ玉）を借り受け、遊技機３で遊技を行う。カードの残高が無くなると、当該カードは台間機４内に保持される。また、遊技者がカードに残高がある状態で遊技を終了する場合には、残高の情報が記録されたカードが台間機４のカード挿入排出口１６から排出される。
【００２９】
カード配送装置１は、遊技島２内の台間機４のそれぞれと接続し、台間機４に保持されているカードの枚数に応じて、台間機４へのカードの補充、および、台間機４からのカードの回収を行う。カード配送装置１は、カード収納庫（収納庫）１０と、カード搬送装置（カード型記録媒体搬送装置）１１とを備える。カード収納庫１０は、複数枚のカードが収納されており、カード搬送装置１１は、台間機４とカード収納庫１０とを接続し、台間機４とカード収納庫１０との間でカードを搬送する。カード搬送装置は、遊技機３と台間機４とが並設された遊技島２の長手方向に沿って、遊技機３および台間機４の背面側に設けられており、カード収納庫１０は、遊技島２の長手方向端部に設けられている。
【００３０】
図３に示すように、カード搬送装置１１は、カードを遊技島２の長手方向に搬送する遊技島搬送ローラユニット１２と、カードの搬送方向を遊技島２の長手方向から短手方向、または、短手方向から長手方向へとへと転回させる台間機搬送ローラユニット（搬送方向転回部）１３とを複数個組み合わせることで構成されている。台間機搬送ローラユニット１３には、カードの搬送方向を遊技島２の長手方向から短手方向へ、または、短手方向から長手方向へと転回させる転回搬送路Ｐと、該転回搬送路Ｐより分岐された、カードを遊技島２の長手方向に搬送する直進搬送路Ｑとが形成されている。
【００３１】
図４は、台間機搬送ローラユニット１３および台間機４の構成を示す斜視図である。図４に示すように、台間機４は、カード読書装置１５を備えており、台間機搬送ローラユニット１３における転回搬送路Ｐの一端部が、台間機４のカード読書装置１５と接続している。図示してはいないが、台間機搬送ローラユニット１３における転回搬送路Ｐの他端部には、カード収納庫あるいは遊技島搬送ローラユニット１２が接続される。また、図示してはいないが、転回搬送路Ｐより分岐された直進搬送路Ｑには、より遠い位置に配された台間機４に接続された台間機搬送ローラユニット１３と接続された遊技島搬送ローラユニット１２が接続される。
【００３２】
カード読書装置１５は、カード挿入排出口１６から挿入されたカードを保持し、カードに対して残高情報等の電子情報の読み書きを行う。また、カード読書装置１５は、複数枚のカードを貯留することができ、必要に応じてカード挿入排出口１６からカードの排出、台間機搬送ローラユニット１３へカードの搬送、および、台間機搬送ローラユニット１３から搬送されてきたカードの貯留を行う。
【００３３】
図５は、カード読書装置１５および台間機搬送ローラユニット１３の構成を示す斜視図である。図６は、図５に示すカード読書装置１５および台間機搬送ローラユニット１３の上面図であり、図７は、図５に示すカード読書装置１５および台間機搬送ローラユニット１３の下面図である。図５〜図７に示すように、台間機搬送ローラユニット１３は、駆動部２０、第１〜第６搬送ローラ部２６〜３１、第１〜第８搬送案内壁３４〜４１、天板４５、底板４６、および、通路切替部４７（図８参照）を備える。
【００３４】
駆動部２０は、モータホルダ２２、モータ２３、および複数のギア２１を備える。モータホルダ２２は、底板４６に固定され、モータ２３を支持している。モータ２３は、正転および逆転が可能なモータであり、モータ２３が駆動すると、複数のギア２１を介して第１〜第５搬送ローラ部２６〜３０のそれぞれへと回転運動が伝達される。これにより、モータ２３の正転時には、台間機４から排出されたカードを転回させて、カード収納庫１０へと搬送することが可能である。また、モータ２３の逆転時には、モータ２３の逆転時には、カード収納庫１０から排出されたカードを転回させて台間機４へと搬送することが可能である。
【００３５】
図８は、図６において天板４５およびカード読書装置１５の天井部品を取り除いた状態を示す上面図であり、図９は、図８に鎖線で示す領域Ａの拡大図である。図１０は、図９において第１〜第６搬送ローラ部２６〜３１が備えるローラホルダ５２およびバネ５３を取り除いた状態を示す図である。
【００３６】
図８〜図１０に示すように、第１〜第５搬送ローラ部２６〜３０は、破線で示す９０度の円弧Ｒを描くように、カード読書装置１５側からカード収納庫１０側に向かってこの順で配置される。これら第１〜第５搬送ローラ部２６〜３０によって、転回搬送路Ｐ（図３参照）が形成される。一方、第６搬送ローラ部３１、第４搬送ローラ部２９、第５搬送ローラ部３０は、遊技島２の長手方向に沿って略直線状にこの順で配置されている。これら３つの搬送ローラ部３０，２９，３１によって、直進搬送路Ｑ（図３参照）が形成される。
【００３７】
第１〜第６搬送ローラ部２６〜３１のそれぞれは、カード６を搬送する部材であり、駆動ローラ５０、自由回転ローラ５１、ローラホルダ５２、バネ５３を備える。
【００３８】
駆動ローラ５０は、軸５０ａと、２つのリング状のホイール５０ｂとを備える（図５参照）。駆動ローラ５０の軸５０ａは、ギア２１と接続しており、モータ２３の駆動に応じて回転運動を行う。２つのホイール５０ｂは、軸５０ａの上下にそれぞれ配置され、軸５０ａと一体となって回転運動を行う。
【００３９】
自由回転ローラ５１は、駆動ローラ５０と同様に、軸５１ａと、軸５１ａの上下にそれぞれ配置され、軸５１ａと一体となって回転運動を行う２つのリング状のホイール５１ｂとを備える（図５参照）。また、自由回転ローラ５１は、駆動ローラ５０と対向して平行に配置される。
【００４０】
ここで、第１〜第５搬送ローラ部２６〜３０の自由回転ローラ５１と駆動ローラ５０とは、第１〜第５搬送ローラ部２６〜３０が描く円弧Ｒに対して、駆動ローラ５０が外側、自由回転ローラ５１が内側となるように配置される。
【００４１】
バネ５３は、駆動ローラ５０の軸５０ａと、自由回転ローラ５１の軸５１ａとを接続しており、軸５０ａおよび軸５１ｂの上下に計２箇所設けられている。また、バネ５３は、自然長よりも伸びた状態で配置され、自由回転ローラ５１が駆動ローラ５０側に付勢されている。
【００４２】
ローラホルダ５２は、バネ５３と同様に、上下に１対設けられ、自由回転ローラ５１の軸５１ａに対応する位置に長穴５２ａが、駆動ローラ５０の軸５０ａに対応する位置には丸穴５２ｂが形成されている。ローラホルダ５２は、駆動ローラ５０と自由回転ローラ５１とを、上下２箇所で回転可能に支持している。そのため、ローラホルダ５２に形成された長穴５２ａが、自由回転ローラ５１の軸５１ａの可動域となる。自由回転ローラ５１は、駆動ローラ５０と自由回転ローラ５１との間に挟持されたカードよりバネ５３を伸ばす方向に力が加えられると、バネ５３の付勢力に抗って、駆動ローラ５０に対して軸５０ａと軸５１ａとが平行なまま、軸同士の距離が離れるように移動することが可能である。
【００４３】
図１１は、天板４５を上方から見た平面図である。天板４５は、略Ｌ字型の形状を有しており、複数の円形穴部４５ａおよび複数の扇状穴部４５ｂが形成されている。また、図示してはいないが、底板４６も同様に、略Ｌ字型の形状を有し、複数の円形穴部４６ａおよび複数の扇状穴部４６ｂが形成されている（図５参照）。
【００４４】
天板４５に形成された円形穴部４５ａは、駆動ローラ５０の軸５０ａと対応する位置に、扇状穴部４５ｂは、自由回転ローラ５１の軸５１ａと対応する位置に形成されている。同様に、底板４６に形成された円形穴部４６ａは、駆動ローラ５０の軸５０ａと対応する位置に、扇状穴部４６ｂは、自由回転ローラ５１の軸５１ａと対応する位置に形成されている。天板４５と底板４６とは対向するように配置され、それぞれの円形穴部４５ａ，４６ａに軸５０ａが、それぞれの扇状穴部４５ｂ，４６ｂに軸５１ａが挿通される。また、一対のローラホルダ５２は、天板４５の上面側と底板４６の下面側で、駆動ローラ５０と自由回転ローラ５１とを支持している。
【００４５】
これにより、第１〜第５搬送ローラ部２６〜３０は、駆動ローラ５０の軸５０ａを回転軸として、自由回転ローラ５１の軸５１ａが円弧の一部を描く公転運動が可能であり、公転運動が可能な領域は、扇状穴部４５ｂと対応している。
【００４６】
また、天板４５と底板４６との間には、第１〜第８搬送案内壁３４〜４１および通路切替部４７が配置される（図８参照）。
【００４７】
通路切替部４７は、第４搬送ローラ部２９と第５搬送ローラ部３０との間に配置されている。通路切替部４７は、ソレノイド部４７ａと揺動部４７ｂとを備える。通路切替部４７は、ソレノイド部４７ａのＯＮ−ＯＦＦに応じて、揺動部４７ｂが揺動して、カードの搬送先あるいはカードの搬送元を、転回搬送路Ｐと直進搬送路Ｑとの間で切り替える。なお、図８においては、ソレノイド部４７ａがＯＮの状態を示しており、当該切り替え動作の詳細については後述する。
【００４８】
第１〜第８搬送案内壁３４〜４１は、カード６の搬送を案内するための部材であり、天板４５と底板４６との間に垂設される。このうち、カード読書装置１５側に設けられた第１搬送案内壁３４、カード収納庫１０側に設けられた第７搬送案内壁４０、および、直進搬送路Ｑのより遠い位置に配された台間機４側に設けられた第８搬送案内壁４１は、平行に配置された２枚の板部材からなる。２枚の板部材は対向しており、その間隔はカード６の厚みよりも広く、２枚の板部材の間をカード６が通過する。
【００４９】
第１搬送案内壁３４は、モータ２３の正転、逆転に応じて、台間機４から搬送されるカード６を第１搬送ローラ部２６に案内する、あるいは、第１搬送ローラ部２６から搬送されるカード６を台間機４へ搬送する。第７搬送案内壁４０は、モータ２３の正転、逆転に応じて、カード収納庫１０側から搬送されるカード６を第５搬送ローラ部３０に案内する、あるいは、第５搬送ローラ部３０から搬送されるカード６をカード収納庫１０側へ搬送する。第８搬送案内壁４１は、モータ２３の正転、逆転に応じて、より遠い位置に配された台間機４側から搬送されるカード６を第６搬送ローラ部３１に案内する、あるいは、第６搬送ローラ部３１から搬送されるカード６をより遠い位置に配された台間機４側へと案内する。
【００５０】
転回搬送路Ｐに設けられた第２搬送案内壁３５、第３搬送案内壁３６、第４搬送案内壁３７および第６搬送案内壁３９は、カード６の搬送方向を９０度転回させるために設けられた部材であり、転回搬送路Ｐ（円弧Ｒ）に沿って曲線状に配置されている。
【００５１】
第２搬送案内壁３５は、第１搬送ローラ部２６と第２搬送ローラ部２７との間を接続するように設けられた壁面である。第２搬送案内壁３５は、第１〜第５搬送ローラ部２６〜３０が描く円弧Ｒの外側に向かって山なりに湾曲しており、山なりに湾曲した谷の部分に、搬送されるカードの後部もしくは前部を逃がす退避部４９が形成されている。
【００５２】
第２搬送ローラ部２７と第３搬送ローラ部２８との間に設けられた第３搬送案内壁３６も、第１搬送案内壁３４と同様に、円弧Ｒの外側に向かってに山なりに湾曲しており、山なりに湾曲した谷の部分に退避部４９が形成されている。
【００５３】
第４搬送案内壁３７は、第３搬送ローラ部２８と第５搬送案内壁３８との間に形成されている。第４搬送案内壁３７は、第３搬送ローラ部２８側が円弧Ｒの外側に向かって傾斜し、第５搬送案内壁３８に斜め方向から対峙している。これにより、第４搬送案内壁３７と第５搬送案内壁３８とで、上記と同様の山なりが形成され、その谷の部分に、搬送されるカードの後部もしくは前部を逃がす退避部４９が形成されている。また、第４搬送案内壁３７と第５搬送案内壁３８との間には、カードの厚みより大きい幅の隙間が設けられている。
【００５４】
第６搬送案内壁３９は、第４搬送ローラ部２９と第５搬送ローラ部３０との間に形成されており、上述した第２搬送案内壁３５と同様に、円弧Ｒの外側に向かって山なりに湾曲し、山なりに湾曲した谷の部分に退避部４９が形成されている。
【００５５】
第５搬送案内壁３８は、第４搬送ローラ部２９と第６搬送ローラ部３１との間に設けられた直線上の壁面である。第５搬送案内壁３８、および、第４搬送案内壁３７の第５搬送案内壁３８側の端部には、窓部５４（図５参照）が形成されており、当該窓部５４を通路切替部４７の揺動部４７ｂが出入りする。
【００５６】
また、第１〜第８搬送案内壁３４〜４１には、駆動ローラ５０のホイール５０ｂと対応する位置にホイール５０ｂが迫り出す開口が形成され、第１〜第６搬送ローラ部２６〜３１の運動を妨げないように設けられている。これにより、第２〜第６搬送案内壁３５〜３９は、カード６の搬送において、カード６と駆動ローラ５０とが接触する側の面を案内する（図５参照）。
【００５７】
（２．カードの搬送動作）
（２．１  台間機からカード収納庫への搬送）
次に、台間機４からカード収納庫１０へとカードを搬送する場合の動作について説明する。
【００５８】
図１２は、図８において、バネ５３、ローラホルダ５２を取り除いた状態を示している。なお、以下では説明の便宜上、図１２に示す状態を基準状態と呼ぶ。図１２に示すように、カード読書装置１５は、貯留室６０、ローラ６２、搬送路６３を備える。
【００５９】
貯留室６０は、カード６を貯留しておくスペースである。貯留室６０に保持されている複数のカード６は、貯留室６０の内部に備えられるバネ６１により、搬送路６３側へ付勢されている。搬送路６３は、台間機４の前面に設けられたカード挿入排出口１６から、台間機搬送ローラユニット１３に接続している接続部６４まで伸び、カード６が搬送される経路である。貯留室６０に保持されているカード６は、ローラ６２の正転および逆転に応じて、カード挿入排出口１６から、あるいは、接続部６４から排出される。また、台間機搬送ローラユニット１３から搬送されてきたカード６を貯留室６０に保持することも可能である。
【００６０】
図１３は、台間機４のカード読書装置１５から台間機搬送ローラユニット１３を介してカード収納庫１０へとカード６が搬送される様子を示した図である。なお、カード６が台間機搬送ローラユニット１３を介してカード収納庫１０へ搬送されるときは、通路切替部４７のソレノイド部４７ａはＯＦＦであり、モータ２３は正転している。
【００６１】
ローラ６２の回転により、カード読書装置１５から搬送されたカード６は、まず、搬送路６３および第１搬送案内壁３４に案内され、第１搬送ローラ部２６へと送られる。
【００６２】
図１４の（ａ）は、図１２に領域Ｂで示した部分の拡大図であり、図１４の（ｂ）は、図１３に領域Ｃで示した部分の拡大図である。図１４の（ｂ）に、図１４の（ａ）における自由回転ローラ５１の位置を破線で示している。図１４に示すように、カード読書装置１５から搬送されてきたカード６の前端部６ａが、駆動ローラ５０および自由回転ローラ５１のニップに到達すると、自由回転ローラ５１は、バネ５３の付勢力に抗って、カード６の厚みに応じて駆動ローラ５０から離れる方向に動き、カード６が駆動ローラ５０および自由回転ローラ５１に挟持される。挟持されたカード６は、駆動ローラ５０の回転（右回転）により図１４の（ｂ）における矢印αの方向（送り出し方向）に搬送される。カード６の搬送に伴って、カード６と接触している自由回転ローラ５１が連れ回りして（左回転）、カード６の搬送を案内する。
【００６３】
ここで、カード６は、ＰＶＣ（ポリ塩化ビニル）等の剛性のある素材であり、かつ、上述したように、自由回転ローラ５１は、駆動ローラ５０の軸５０ａを回転軸として、自由回転ローラ５１の軸５１ａが円弧の一部を描く公転運動が可能に設けられている。そのため、自由回転ローラ５１は、図１４の（ｂ）に矢印βで示すように、カード６の移動に伴い、軸５０ａを中心とした、搬送方向への公転移動も行う。
【００６４】
図１５の（ａ）は、図１３の状態からカード６がさらに搬送された状態を示しており、図１５の（ｂ）は、図１５の（ａ）に領域Ｄで示した部分の拡大図である。図１５に示すように、カード６は、カード読書装置１５のローラ６２、第１搬送案内壁３４、および、第１搬送ローラ部２６により、第２搬送ローラ部２７へと搬送される。ここで、第１搬送ローラ部２６の自由回転ローラ５１は、上述したように基準状態から移動している。そのため、バネ５３の付勢力により、カード６には、第１搬送ローラ部２６の自由回転ローラ５１から駆動ローラ５０方向へ引き寄せる力（矢印γ）が加えられる。これにより、カード６には、駆動ローラ５０と接触している場所を支点として、自由回転ローラ５１と接触している場所に力が加えられることで、前端部６ａに、第２搬送案内壁３５方向への力（矢印δ）が作用する。そのため、カード６が多少反っていたとしても、カード６の前端部６ａは確実に、第２搬送ローラ部２７の駆動ローラ５０と自由回転ローラ５１との間に案内される。
【００６５】
図１６の（ａ）は、図１５（ａ）の状態からカード６がさらに搬送された状態を示しており、図１６の（ｂ）は、図１６の（ａ）に領域Ｅで示した部分の拡大図である。図１６の（ｂ）において、第２搬送ローラ部２７の自由回転ローラ５１の基準状態における位置を破線で示している。図１６の（ｂ）に示すように、第２搬送ローラ部２７の自由回転ローラ５１は、第１搬送ローラ部２６の自由回転ローラ５１と同様に、カード６の搬送に伴って移動し、カード６の搬送を案内する。
【００６６】
図１６の（ａ）に示すように、第１搬送ローラ部２６および第２搬送ローラ部２７によって搬送されたカード６は、前端部６ａが第３搬送案内壁３６に到達する。ここで、第３搬送案内壁３６は、緩やかな鈍角のカーブを描くように、山なりに形成されている。そのため、第３搬送案内壁３６における第２搬送ローラ部２７側の第１面３６ａは、矢印αで示したカード６の搬送方向とほぼ平行をなし、第３搬送ローラ部２８側の第２面３６ｂは、矢印αで示したカード６の搬送方向に対して、鈍角を成すように傾斜している。
【００６７】
カード６は、前端部６ａが、第３搬送案内壁３６の第２面３６ｂに到達していない状態では、第１搬送ローラ部２６と第２搬送ローラ部２７とによって、第３搬送案内壁３６の第１面３６ａに沿って搬送される。そして、図１６の（ａ）に示すように、前端部６ａが、第３搬送案内壁３６の第２面３６ｂに到達した時点では、後端部６ｂが第１搬送ローラ部２６のニップから脱出する。これ以降、カード６は、前端部６ａが第３搬送ローラ部２８のニップに到達するまで、第２搬送ローラ部２７にて単独で搬送されることとなる。
【００６８】
図１７は、第３搬送案内壁３６に沿って搬送されるカード６を示す図である。図１７に示すように、カード６は、第２搬送ローラ部２７により、前端部６ａが第３搬送案内壁３６の第２面３６ｂを摺動し、第２面３６ｂに接触した状態で、第２面３６ｂの傾斜に沿って、進行方向（送り出し方向）を段階的に変化させながら第２搬送ローラ部２７によって搬送されていく。つまり、第２面３６ｂは、カード６の進行方向を変更させる転回壁として機能する。このとき、カード６の後端部６ｂは、前端部６ａの搬送に合わせて、円弧Ｒ（図８参照）の外側へと移動するが、退避部４９が形成されているので、第２搬送案内壁３５と接触することはない。
【００６９】
すなわち、第２搬送ローラ部２７は、カード６の後端部６ｂが第１搬送ローラ部２６のニップを抜けた状態で、カード６の前端部６ａを、第３搬送ローラ部２８側の第２面３６ｂに当接させ、前端部６ａを第２面３８ｂに摺動させると共に、後端部６ｂを第２搬送案内壁３５の退避部４９に逃がしながら搬送することで、カード６の搬送方向を段階的に変化させる。
【００７０】
また、カード６の前端部６ａが第２面３６ｂを摺動して、カード６の進行方向を段階的に変化させている間、第２搬送ローラ部２７の自由回転ローラ５１には、駆動ローラ５０との間を押し広げるような力が働く。しかしながら、上述したように、自由回転ローラ５１は、駆動ローラ５０から離れる方向にも、駆動ローラ５０を中心とした円弧に沿った公転運動も可能に設けられているため、自身が移動することでこのような力を吸収する。これにより、カード６を、進行方向を切り換えつつも、一定の圧力で挟持し、搬送することが可能となる。
【００７１】
このようにしてカード６は、搬送方向を図１６の（ａ）に矢印αで示したカード６の搬送方向から３０度ほど転回し、次の第３搬送ローラ部２８に到達する。また、カード６の後端部６ｂと離間することで、第１搬送ローラ部２６の自由回転ローラ５１は、基準位置へと戻る。
【００７２】
図１８は、第３搬送ローラ部２８によって搬送されるカード６を示す図である。第３搬送ローラ部２８へと到達したカード６は、上述した第２搬送ローラ部２７の場合と同様に、前端部６ａが第３搬送ローラ部２８のニップに到達し、第３搬送ローラ部２８の駆動ローラ５０および自由回転ローラ５１に挟持され搬送される。カード６は、前端部６ａが、転回壁として機能する第５搬送案内壁３８に到達していない状態では、第２搬送ローラ部２７と第３搬送ローラ部２８とによって、第４搬送案内壁３７に沿って搬送される。また、カード６の搬送に伴い、第３搬送ローラ部２８の自由回転ローラ５１は、第２搬送ローラ部２７の場合と同様に移動する。カード６の搬送がさらに進むと、図１８に示すように、後端部６ｂが第２搬送ローラ部２７から脱出した状態で、前端部６ａが転回壁として機能する第５搬送案内壁３８に当接する。以降、カード６は、第３搬送ローラ部２８による単独搬送により、後端部６ｂを第３搬送案内壁３６の退避部４９に逃がしつつ、第５搬送案内壁３８を摺動し、その傾斜に沿って、３０度ほど進行方向を転回しながら第４搬送ローラ部２９へと搬送される。後端部６ｂが脱出した第２搬送ローラ部２７は、自由回転ローラ５１が基準位置へと戻る。また、第３搬送ローラ部２８の自由回転ローラ５１にも、上述した第２搬送ローラ部２７の自由回転ローラ５１と同様に、駆動ローラ５０との間を押し広げるような力が働くが、自由回転ローラの移動により、このような力を吸収して、一定の圧力でカード６を挟持し、搬送する。
【００７３】
図１９は、第４搬送ローラ部２９によって搬送されるカード６を示す図である。第３搬送ローラ部２８により第５搬送案内壁３８に沿って搬送されたカード６は、前端部６ａが第４搬送ローラ部２９のニップに到達し、第４搬送ローラ部２９の駆動ローラ５０および自由回転ローラ５１に挟持され搬送される。カード６は、前端部６ａが、転回壁として機能する第６搬送案内壁３９の第５搬送ローラ部３０側の第２面３９ｂに到達していない状態では、第３搬送ローラ部２８と第４搬送ローラ部２９とによって、第６搬送案内壁３９の第４搬送ローラ部２９側の第２面３９ａに沿って搬送される。カード６の搬送に伴い、第４搬送ローラ部２９の自由回転ローラ５１は、第２搬送ローラ部２７の場合と同様に移動する。第４搬送ローラ部２９によってカード６の搬送がさらに進むと、図１９に示すように、後端部６ｂが第３搬送ローラ部２８から脱出した状態で、前端部６ａが転回壁として機能する第６搬送案内壁３９の第２面３９ｂに当接する。以降、カード６は、第４搬送ローラ部２９による単独搬送により、後端部６ｂを第４搬送案内壁３７と第５搬送案内壁３８とで形成される退避部４９に逃がしつつ、第６搬送案内壁３９の第２面３９ｂを摺動し、その傾斜に沿って、３０度ほど進行方向を転回しながら第５搬送ローラ部３０へと搬送される。このとき、第４搬送ローラ部２９の自由回転ローラ５１にも、上述した第２搬送ローラ部２７の自由回転ローラ５１と同様に、駆動ローラ５０との間を押し広げるような力が働くが、自由回転ローラの移動により、このような力を吸収して、一定の圧力でカード６を挟持し、搬送する。
【００７４】
図２０は、搬送方向の転回が完了し、第４搬送ローラ部２９および第５搬送ローラ部３０によって、カード収納庫１０側へと搬送されるカード６を示す図である。第５搬送ローラ部３０へと到達したカード６は、第５搬送ローラ部３０の駆動ローラ５０および自由回転ローラ５１により挟持され、第７搬送案内壁４０に案内され、カード収納庫１０側へと搬送される。カード６の搬送に伴い、第５搬送ローラ部３０の自由回転ローラ５１は、第２搬送ローラ部２７の場合と同様に移動する。
【００７５】
このように、本実施形態に係る台間機搬送ローラユニット１３は、円弧Ｒの外側に向かって山なりに湾曲した第２搬送案内壁３５、第３搬送案内壁３６、第４搬送案内壁３７および第６搬送案内壁３９と、円弧Ｒに沿って配された第１〜第５搬送ローラ部２６〜３０とを備える。そのため、カード６の前端部６ａが搬送案内壁に当接した状態で摺動して搬送され、かつ、後端部６ｂが搬送案内壁に接触しないように、退避部４９へ移動した状態で搬送されることで、カード６の搬送方向を段階的に転回させる。これにより、剛性のあるＰＶＣ等の材質のカード６であったとしても、搬送方向を９０度転回させることが可能となる。
【００７６】
（２．２  カード収納庫から台間機への搬送）
次に、台間機搬送ローラユニット１３がカード収納庫１０から台間機４へとカード６を搬送する動作について説明する。
【００７７】
カード収納庫１０から台間機４へのカード６の搬送は、上述した台間機４からカード収納庫１０へのカード６の搬送と同一の経路を用い、モータ２３を逆転させることで行う。
【００７８】
図２１は、カード収納庫１０または遊技島搬送ローラユニット１２から搬送されてきたカード６が、第５搬送ローラ部３０および第４搬送ローラ部２９により挟持され搬送されている様子を示した図である。
【００７９】
カード収納庫１０または遊技島搬送ローラユニット１２から搬送されてきたカード６は、第７搬送案内壁４０に案内され、搬送方向の前端部６ａが第５搬送ローラ部３０に到達する。第５搬送ローラ部３０へと到達したカード６は、上述した第２搬送ローラ部２７の場合と同様に、前端部６ａが第５搬送ローラ部３０のニップに到達し、第５搬送ローラ部３０の駆動ローラ５０および自由回転ローラ５１に挟持され搬送される。カード６の搬送に伴い、第５搬送ローラ部３０の自由回転ローラ５１は、第２搬送ローラ部２７の場合と同様に移動する。但し、第５搬送ローラ部３０の自由回転ローラ５１の公転移動の方向は、上述した台間機４からカード収納庫１０へのカード６の搬送時における自由回転ローラ５１の公転移動の方向とは逆方向である。すなわち、自由回転ローラ５１は、カード６の搬送方向に応じて、公転移動する方向が変化する。また、カード６の搬送に伴って、自由回転ローラ５１の連れ回る方向の逆方向（右回転）となる。
【００８０】
ここで、第５搬送ローラ部３０によって搬送されるカード６には、図１５を用いて説明したカード６と同様に、第５搬送ローラ部３０の自由回転ローラ５１が基準位置へと復帰しようとする力が作用する。これにより、カード６の前端部６ａには、第６搬送案内壁３９の方向に力が作用し、これにより、カード６が多少反っていたりしても確実に第４搬送ローラ部２９へと案内される。
【００８１】
第４搬送ローラ部２９へと到達したカード６は、前端部６ａが、第５搬送ローラ部３０の場合と同様に、第４搬送ローラ部２９の自由回転ローラ５１を移動する。そして、カード６は、第５搬送ローラ部３０に挟持され、図２１に示す状態となり搬送される。
【００８２】
図２２の（ａ）は、通路切替部４７により、台間機４へと搬送されるカード６を示す図であり、図２２の（ｂ）は、図２２の（ａ）における領域Ｆの拡大図である。上述したように、通路切替部４７は、ソレノイド部４７ａのＯＮ−ＯＦＦに応じてカード６の搬送先を台間機４と遊技島搬送ローラユニット１２との間で切り替える。図２２では、ソレノイド部４７ａはＯＮであり、揺動部４７ｂは、第５搬送案内壁３８の窓部５４を通り、第４搬送案内壁３７へと接続している。換言すれば、揺動部４７ｂは、第５搬送案内壁３８と一体となり、カード６の搬送方向を転換する転回壁を形成している。
【００８３】
そのため、第４搬送ローラ部２９から搬送されたカード６の前端部６ａは、後端部６ｂが第５搬送ローラ部３０のニップを抜けた状態で、揺動部４７ｂと当接する。カード６は、後端部６ｂを第６搬送案内壁３９に形成された退避部４９（図８参照）に逃がしつつ、揺動部４７ｂに当接した状態で搬送され、続いて、第４搬送案内壁３７に当接しながら搬送される。このようにして、カード６の搬送方向が転回される。
【００８４】
第４搬送案内壁３７に当接しながら搬送されたカード６は、第３搬送ローラ部２８に到達するする。以降、カード６は、台間機４からカード収納庫１０へと搬送されたのと逆の手順で、第３搬送案内壁３６の第１面３６ａおよび第２搬送案内壁３５の第１面３５ａによって搬送方向が転換され、台間機４の貯留室６０へと搬送される。
【００８５】
このように、本実施形態に係るカード配送装置１は、カード収納庫１０から台間機４へのカード６の搬送（補充）、および、台間機４からカード収納庫１０へのカード６の搬送（回収）を同一の経路で行うことが可能である。
【００８６】
（２．３  カード収納庫から遊技島搬送ローラユニットへの搬送）
次に、台間機搬送ローラユニット１３がカード収納庫１０から遊技島搬送ローラユニット１２へとカード６を搬送する動作について説明する。
【００８７】
図２３は、遊技島搬送ローラユニット１２へと搬送されるカード６を示す図である。カード６が遊技島搬送ローラユニット１２へと搬送される場合は、モータ２３は逆転しており、通路切替部４７のソレノイド部４７ａはＯＦＦである。
【００８８】
そのため、第４搬送ローラ部２９から搬送されたカード６は、直進搬送路Ｑに沿って、第５搬送案内壁３８と第４搬送案内壁３７との間の隙間を通り、第６搬送ローラ部３１へと搬送される。そして、第８搬送案内壁４１に案内され遊技島搬送ローラユニット１２へと搬送される。遊技島搬送ローラユニット１２へと搬送されたカード６は、他の台間機搬送ローラユニット１３を介して、所望の台間機４へと搬送される。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９０】
本発明は、本発明は遊技機の間に配置された台間機と、カード型の記録媒体を収納した収納庫との間で前記記録媒体を搬送するカード型記録媒体搬送装置に利用することができる。
【符号の説明】
【００９１】
１  カード配送装置（カード型記録媒体配送装置）
３  遊技機
４  台間機
６  カード（記録媒体）
６ａ  前端部
６ｂ  後端部
１０  カード収納庫（収納庫）
１１  カード搬送装置（カード型記録媒体搬送装置）
１２  遊技島搬送ローラユニット
１３  台間機搬送ローラユニット（搬送方向転回部）
２６〜３１  第１〜第６搬送ローラ部（搬送ローラ部）
３４〜４１  第１〜第８搬送案内壁（搬送案内壁）
５０  駆動ローラ
５１  自由回転ローラ
５３  バネ
Ｒ  円弧
【図１】
2016112213.tif 000003
【図２】
2016112213.tif 000004
【図３】
2016112213.tif 000005
【図４】
2016112213.tif 000006
【図５】
2016112213.tif 000007
【図６】
2016112213.tif 000008
【図７】
2016112213.tif 000009
【図８】
2016112213.tif 000010
【図９】
2016112213.tif 000011
【図１０】
2016112213.tif 000012
【図１１】
2016112213.tif 000013
【図１２】
2016112213.tif 000014
【図１３】
2016112213.tif 000015
【図１４】
2016112213.tif 000016
【図１５】
2016112213.tif 000017
【図１６】
2016112213.tif 000018
【図１７】
2016112213.tif 000019
【図１８】
2016112213.tif 000020
【図１９】
2016112213.tif 000021
【図２０】
2016112213.tif 000022
【図２１】
2016112213.tif 000023
【図２２】
2016112213.tif 000024
【図２３】
2016112213.tif 000025